(57)【要約】【課題】バスパワー方式とセルフパワー方式との２種類の電力供給が可能な場合に、それぞれの最大限の能力を可能にする。【解決手段】データ転送と電力供給授受とが可能なインタフェースを備えた装置で、外部から電源供給を受ける外部電源端子と、電力供給系統を判別する電力供給系統判別手段と、インタフェースの電力供給能力を判定する電力供給能力判定手段と、電力供給系統の判別結果を参照し、電力供給が外部電源端子を介してなされる場合には各部を定格消費電力モードにて動作させ、電力供給がインタフェースを介してなされている場合には各部を低消費電力モードにて動作させ、さらに電力供給能力の判定結果を参照し、電力供給能力が既定値よりも低下した場合には所定の低消費電力モードにて各部を動作させる制御手段とを備える。【選択図】      図１
2004152342.tif 000002
【特許請求の範囲】
【請求項１】
他の機器との間でデータ転送と電力供給授受とが可能に構成されたインタフェースを備えた光ディスク記録再生装置であって、
前記インタフェースを介した場合よりも大きな電力の供給を外部の電源手段から受けることが可能な外部電源端子と、
電力供給が行われる系統を判別する電力供給系統判別手段と、
各部の動作状態を制御する制御手段とを備え、
前記制御手段は、前記電力供給系統判別手段の判別結果を参照し、電力供給が前記外部電源端子を介してなされている場合には各部を定格消費電力モードにて動作させ、電力供給が前記インタフェースを介してなされている場合には各部を低消費電力モードにて動作させるよう制御する、
ことを特徴とする光ディスク記録再生装置。
【請求項２】
他の機器との間でデータ転送と電力供給授受とが可能に構成されたインタフェースを備えた光ディスク記録再生装置であって、
前記インタフェースからの電力供給を受ける場合に電力供給能力を判定する電力供給能力判定手段と、
各部の動作状態を制御する制御手段とを備え、
前記制御手段は、前記電力供給能力判定手段の判定結果を参照し、電力供給能力が既定値よりも低下したと判定された場合には、該判定結果に応じた所定の低消費電力モードにて各部を動作させるよう制御する、
ことを特徴とする光ディスク記録再生装置。
【請求項３】
他の機器との間でデータ転送と電力供給授受とが可能に構成されたインタフェースを備えた光ディスク記録再生装置であって、
前記インタフェースを介した場合よりも大きな電力の供給を外部の電源手段から受けることが可能な外部電源端子と、
電力供給が行われる系統を判別する電力供給系統判別手段と、
前記インタフェースからの電力供給を受ける場合に電力供給能力を判定する電力供給能力判定手段と、
各部の動作状態を制御する制御手段とを備え、
前記制御手段は、
前記電力供給系統判別手段の判別結果を参照し、電力供給が前記外部電源端子を介してなされている場合には各部を定格消費電力モードにて動作させ、電力供給が前記インタフェースを介してなされている場合には各部を低消費電力モードにて動作させるよう制御し、さらに前記電力供給能力判定手段の判定結果を参照し、電力供給能力が既定値よりも低下したと判定された場合には、該判定結果に応じた所定の低消費電力モードにて各部を動作させるよう制御する、
ことを特徴とする光ディスク記録再生装置。
【請求項４】
前記制御手段は、定格消費電力モードと低消費電力モードとで、前記インタフェースを介したデータ転送における転送速度を切り替える、
ことを特徴とする
請求項１乃至請求項３のいずれかに記載の光ディスク記録再生装置。
【請求項５】
前記制御手段は、定格消費電力モードと低消費電力モードとで、あるいは複数の低消費電力モードで、各部に供給する動作クロックの周波数を切り替える、
ことを特徴とする請求項１乃至請求項４のいずれかに記載の光ディスク記録再生装置。
【請求項６】
前記制御手段は、定格消費電力モードと低消費電力モードとで、あるいは複数の低消費電力モードで、光ディスクを回転駆動するスピンドルモータの回転速度を切り替える、
ことを特徴とする請求項１乃至請求項５のいずれかに記載の光ディスク記録再生装置。
【請求項７】
前記制御手段は、定格消費電力モードと低消費電力モードとで、あるいは複数の低消費電力モードで、光ピックアップのシーク動作におけるシーク速度を切り替える、
ことを特徴とする請求項１乃至請求項６のいずれかに記載の光ディスク記録再生装置。
【請求項８】
光ディスクに対して書き込むデータを所定量記憶するキャッシュメモリを備え、
前記制御手段は、低消費電力モードにおいては、書き込むべきデータを前記キャッシュメモリに蓄積しておき、光ピックアップのシーク動作距離が最小となるような順序で、前記キャッシュメモリから読み出したデータを前記光ディスクに書き込むように書き込みシーケンス制御を行う、
ことを特徴とする請求項１乃至請求項７のいずれかに記載の光ディスク記録再生装置。
【発明の詳細な説明】
【０００１】
【発明の属する技術分野】
本発明は光ディスク記録再生装置に関し、特に、他の機器（ＰＣ）との間でデータ転送と電力供給授受とが可能に構成されたＵＳＢなどのインタフェースを備えた光ディスク記録再生装置に関する。
【０００２】
【従来の技術】
光ディスク記録再生装置などのコンピュータ周辺機器の場合、コンピュータなどの他の機器（ホストＰＣ）との間でデータ転送と電力供給授受とが可能に構成されたＵＳＢ（Ｕｎｉｖｅｒｓａｌ  Ｓｅｒｉａｌ  Ｂｕｓ）などのインタフェースを備えたものが存在している。
【０００３】
このような周辺機器としての光ディスク記録再生装置１００をＵＳＢインタフェースによりホストＰＣ３００に接続する場合、図４に示すように、ＵＳＢインタフェースケーブル２００により接続する。
【０００４】
この図４のように接続することで、ＰＣ３００と光ディスク記録再生装置１００でのデータ転送と、ホストＰＣ３００から光ディスク記録再生装置１００への電力供給とを、ＵＳＢインタフェースケーブル２００によって同時に行うことが可能になる。なお、このような接続は、バスパワー方式と呼ばれている。
【０００５】
ＵＳＢインタフェースの場合、Ｄａｔａ＋，Ｄａｔａ−，ＧＮＤ，Ｖｃｃ，ＧＮＤのピンアサインが定められており、５Ｖ，０．５Ａ（２．５Ｗ）までの電力を供給することが可能なように規格が定められている。
【０００６】
一方、２．５Ｗ以上の電力が必要となる場合には、図５に示すようなセルフパワー方式と呼ばれる接続を行う。すなわち、ＰＣ３００と光ディスク記録再生装置１００の間でＵＳＢインタフェースケーブル２００でデータ転送を行い、光ディスク記録再生装置１００の電力はＡＣアダプタ４００などの専用電源を用意する。
【０００７】
これまでの光ディスク記録再生装置では、据置型のホストＰＣと組み合わせて据え置きで使用するためにセルフパワー方式で装置設計がなされていた。すなわち、２．５Ｗ以上の電力を消費する代わりに、高速性を求めるように設計されていた。
【０００８】
一方、据置型のホストＰＣに加えて、ノートＰＣのような可搬性の良いＰＣとも組み合わせて使用される場合が多くなってきており、ケーブル１本で接続できるバスパワー方式の利便性も求められるようになってきている。
【０００９】
ここで、セルフパワー方式用に設計された光ディスク記録再生装置をバスパワー方式で動作させようとすると、必要な電力供給が受けられないためにドライブが誤動作したり、システムがハングアップしたりという不具合が発生する。
【００１０】
また、バスパワー方式用に消費電力を制限した状態で設計した光ディスク記録再生装置では、電力消費の大きい広帯域アンプの搭載やスピンドルモータの高速回転、光ピックアップの高速シークなどの動作が難しく、速度性能を犠牲にせざるをえない状況にあった。
【００１１】
なお、ノートＰＣに用いられる光ディスク再生装置において、ノートＰＣのバッテリの残容量に応じて、スピンドルモータの回転数や光ピックアップの送り速度の制御することが、以下の特許文献１に対策が述べられている。しかし、この特許文献１記載の技術は、光ディスク再生装置にバッテリが内蔵されていて、商用電源を使用する場合もこのバッテリ経由であり、単にノートＰＣのバッテリの電圧だけを監視しているものであり、本願発明で問題としている用途には適用できないものであった。
【００１２】
【特許文献１】
特開平９−３３０５５１号公報（第４頁、図５）
【００１３】
【発明が解決しようとする課題】
以上のように、バスパワー方式とセルフパワー方式との２種類の電力供給方式が存在する光ディスク記録再生装置において、いずれの方式で動作している場合にも、それぞれの範囲内で最大限の性能を活かすような仕組みは未だ提案されていなかった。
【００１４】
また、本願発明で適用されるバスパワー方式では、他の機器（ＰＣ）側で安定した電圧（たとえば、５Ｖ）を生成してから光ディスク記録再生装置に供給するようにしているため、上記特許文献１にあるような単純な電圧監視によっては、電力供給能力に応じて最大限の性能で光ディスク記録再生装置を動作させるような制御を行えなかった。
【００１５】
本発明は以上の課題に鑑みてなされたものであって、バスパワー方式とセルフパワー方式との２種類の電力供給方式が存在する光ディスク記録再生装置において、いずれの方式で動作している場合にも、それぞれの範囲内で最大限の性能を活かすことが可能な光ディスク記録再生装置を実現することを目的とする。
【００１６】
【課題を解決するための手段】
すなわち、上記の課題を解決する手段としての本願発明は以下に述べるようなものである。
【００１７】
（１）請求項１記載の発明は、他の機器との間でデータ転送と電力供給授受とが可能に構成されたインタフェースを備えた光ディスク記録再生装置であって、前記インタフェースを介した場合よりも大きな電力の供給を外部の電源手段から受けることが可能な外部電源端子と、電力供給が行われる系統を判別する電力供給系統判別手段と、各部の動作状態を制御する制御手段とを備え、前記制御手段は、前記電力供給系統判別手段の判別結果を参照し、電力供給が前記外部電源端子を介してなされている場合には各部を定格消費電力モードにて動作させ、電力供給が前記インタフェースを介してなされている場合には各部を低消費電力モードにて動作させるよう制御する、ことを特徴とする光ディスク記録再生装置である。
【００１８】
この発明では、他の機器との間でデータ転送と電力供給授受とが可能に構成された場合に、制御手段は、電力供給系統判別手段の判別結果を参照し、電力供給が外部電源端子を介してなされている場合には各部を定格消費電力モードにて動作させ、電力供給がインタフェースを介してなされている場合には各部を低消費電力モードにて動作させるよう制御する。なお、外部電源端子については、インタフェースより大きな電力供給が可能であるものが望ましい。
【００１９】
この結果、他の機器から電力供給を受けるバスパワー方式と外部電源を使用するセルフパワー方式との２種類の電力供給方式が存在する光ディスク記録再生装置において、いずれの方式で動作している場合にも、それぞれの範囲内で最大限の性能を活かすことが可能になる。
【００２０】
（２）請求項２記載の発明は、他の機器との間でデータ転送と電力供給授受とが可能に構成されたインタフェースを備えた光ディスク記録再生装置であって、前記インタフェースからの電力供給を受ける場合に電力供給能力を判定する電力供給能力判定手段と、各部の動作状態を制御する制御手段とを備え、前記制御手段は、前記電力供給能力判定手段の判定結果を参照し、電力供給能力が既定値よりも低下したと判定された場合には、該判定結果に応じた所定の低消費電力モードにて各部を動作させるよう制御する、ことを特徴とする光ディスク記録再生装置である。
【００２１】
この発明では、他の機器との間でデータ転送と電力供給授受とが可能に構成された場合に、制御手段は、電力供給能力判定手段の判定結果を参照し、電力供給能力が既定値よりも低下したと判定された場合には、該判定結果に応じた所定の低消費電力モードにて各部を動作させるよう制御する。
【００２２】
なお、この場合に、電力供給能力判定手段は、他の機器に対して所定の電流を流すようなテストモードの動作を行い、このときに生じる電圧変化から電力供給能力判定を行うことが望ましい。
【００２３】
この結果、他の機器から電力供給を受けるバスパワー方式の電力供給方式が存在する光ディスク記録再生装置において、供給を受けている他の機器の能力の範囲内で最大限の性能を活かすことが可能になる。
【００２４】
（３）請求項３記載の発明は、他の機器との間でデータ転送と電力供給授受とが可能に構成されたインタフェースを備えた光ディスク記録再生装置であって、前記インタフェースを介した場合よりも大きな電力の供給を外部の電源手段から受けることが可能な外部電源端子と、電力供給が行われる系統を判別する電力供給系統判別手段と、前記インタフェースからの電力供給を受ける場合に電力供給能力を判定する電力供給能力判定手段と、各部の動作状態を制御する制御手段とを備え、前記制御手段は、前記電力供給系統判別手段の判別結果を参照し、電力供給が前記外部電源端子を介してなされている場合には各部を定格消費電力モードにて動作させ、電力供給が前記インタフェースを介してなされている場合には各部を低消費電力モードにて動作させるよう制御し、さらに前記電力供給能力判定手段の判定結果を参照し、電力供給能力が既定値よりも低下したと判定された場合には、該判定結果に応じた所定の低消費電力モードにて各部を動作させるよう制御する、ことを特徴とする光ディスク記録再生装置である。
【００２５】
この発明では、他の機器との間でデータ転送と電力供給授受とが可能に構成された場合に、制御手段は、電力供給系統判別手段の判別結果を参照し、電力供給が外部電源端子を介してなされている場合には各部を定格消費電力モードにて動作させ、電力供給がインタフェースを介してなされている場合には各部を低消費電力モードにて動作させるよう制御する。なお、外部電源端子については、インタフェースより大きな電力供給が可能であるものが望ましい。
【００２６】
この結果、他の機器から電力供給を受けるバスパワー方式と外部電源を使用するセルフパワー方式との２種類の電力供給方式が存在する光ディスク記録再生装置において、いずれの方式で動作している場合にも、それぞれの範囲内で最大限の性能を活かすことが可能になる。
【００２７】
また、制御手段は、電力供給能力判定手段の判定結果を参照し、電力供給能力が既定値よりも低下したと判定された場合には、該判定結果に応じた所定の低消費電力モードにて各部を動作させるよう制御する。なお、この場合に、電力供給能力判定手段は、他の機器に対して所定の電流を流すようなテストモードの動作を行い、このときに生じる電圧変化から電力供給能力判定を行うことが望ましい。
【００２８】
この結果、他の機器から電力供給を受けるバスパワー方式の電力供給方式が存在する光ディスク記録再生装置において、供給を受けている他の機器の能力の範囲内で最大限の性能を活かすことが可能になる。
【００２９】
（４）請求項４記載の発明は、前記制御手段は、定格消費電力モードと低消費電力モードとで、前記インタフェースを介したデータ転送における転送速度を切り替える、ことを特徴とする請求項１乃至請求項３のいずれかに記載の光ディスク記録再生装置である。
【００３０】
この発明では、上記（１）〜（３）において、制御手段は、定格消費電力モードと低消費電力モードとで、インタフェースを介したデータ転送における転送速度を切り替えるように制御している。
【００３１】
この場合、定格消費電力モードでは転送速度を高速に切り替え、低消費電力モードでは転送速度を高速に切り替えるようにする。なお、転送速度を切り替えるために、データ転送回路（インタフェース回路）を複数備えてもよいし、単一のデータ転送回路（インタフェース回路）に対して速度切り替えコマンドを与えてもよい。
【００３２】
この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００３３】
（５）請求項５記載の発明は、前記制御手段は、定格消費電力モードと低消費電力モードとで、あるいは複数の低消費電力モードで、各部に供給する動作クロックの周波数を切り替える、ことを特徴とする請求項１乃至請求項４のいずれかに記載の光ディスク記録再生装置である。
【００３４】
この発明では、上記（１）〜（４）において、制御手段は、定格消費電力モードと低消費電力モードとで、あるいは複数の低消費電力モードで、各部に供給する動作クロックの周波数を切り替えるように制御している。
【００３５】
この場合、定格消費電力モードでは高いクロック周波数に切り替え、より低消費となる低消費電力モードになるに従ってより低いクロック周波数に切り替えるようにする。
【００３６】
この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００３７】
（６）請求項６記載の発明は、前記制御手段は、定格消費電力モードと低消費電力モードとで、あるいは複数の低消費電力モードで、光ディスクを回転駆動するスピンドルモータの回転速度を切り替える、ことを特徴とする請求項１乃至請求項５のいずれかに記載の光ディスク記録再生装置である。
【００３８】
この発明では、上記（１）〜（５）において、制御手段は、定格消費電力モードと低消費電力モードとで、あるいは複数の低消費電力モードで、光ディスクを回転駆動するスピンドルモータの回転速度を切り替えるように制御している。
【００３９】
この場合、定格消費電力モードでは高い回転数に切り替え、より低消費となる低消費電力モードになるに従ってより低い回転数に切り替えるようにする。
【００４０】
この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００４１】
（７）請求項７記載の発明は、前記制御手段は、定格消費電力モードと低消費電力モードとで、あるいは複数の低消費電力モードで、光ピックアップのシーク動作におけるシーク速度を切り替える、ことを特徴とする請求項１乃至請求項６のいずれかに記載の光ディスク記録再生装置である。
【００４２】
この発明では、上記（１）〜（６）において、制御手段は、定格消費電力モードと低消費電力モードとで、あるいは複数の低消費電力モードで、光ピックアップのシーク動作におけるシーク速度を切り替えるように制御している。
【００４３】
この場合、定格消費電力モードでは高いシーク速度に切り替え、より低消費となる低消費電力モードになるに従ってより低いシーク速度に切り替えるようにする。なお、シーク速度を切り替えるために、光ピックアップに与える電圧を変更してもよいし、速度制御のための速度プロファイルを変更してもよい。
【００４４】
この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００４５】
（８）請求項８記載の発明は、光ディスクに対して書き込むデータを所定量記憶するキャッシュメモリを備え、前記制御手段は、低消費電力モードにおいては、書き込むべきデータを前記キャッシュメモリに蓄積しておき、光ピックアップのシーク動作距離が最小となるような順序で、前記キャッシュメモリから読み出したデータを前記光ディスクに書き込むように書き込みシーケンス制御を行う、ことを特徴とする請求項１乃至請求項７のいずれかに記載の光ディスク記録再生装置である。
【００４６】
この発明では、上記（１）〜（７）において、光ディスクに対して書き込むデータを所定量記憶するキャッシュメモリを備えた場合に、制御手段は、低消費電力モードにおいては、書き込むべきデータをキャッシュメモリに蓄積しておき、光ピックアップのシーク動作距離が最小となるような順序で、キャッシュメモリから読み出したデータを光ディスクに書き込むように書き込みシーケンス制御を行う。
【００４７】
このようにシーク動作距離が最小となるような順序の書き込みを行うことで、一定量のデータを光ディスクに書き込むために必要な消費電力を最低限に抑えることが可能になる。
【００４８】
この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００４９】
【発明の実施の形態】
以下、図面を参照して本発明の実施の形態例を詳細に説明する。なお、以下の実施の形態例では、コンピュータ（ＰＣ）などの他の機器との間でデータ転送と電力供給授受とが可能に構成されたインタフェースを備えた光ディスク記録再生装置を具体例として説明する。
【００５０】
また、他の機器（ＰＣ）との間でデータ転送と電力供給授受とが可能に構成されたインタフェースとしては、ＵＳＢ（Ｕｎｉｖｅｒｓａｌ  Ｓｅｒｉａｌ  Ｂｕｓ）を具体例に用いて説明を行う。
【００５１】
図１は本発明の第１の実施の形態例の構成を示すブロック図である。この図１において、１００は本実施の形態例の光ディスク記録再生装置であり、ＵＳＢインタフェースによりコンピュータ（ホストＰＣ）に接続される周辺機器の一種である。
【００５２】
また、２００は、光ディスク記録再生装置１００とホストＰＣとを接続するインタフェースケーブルであり、３００はインタフェースケーブル２００により光ディスク記録再生装置１００と接続されるホストＰＣである。
【００５３】
なお、以上の光ディスク記録再生装置１００は、この図１のように接続することで、ＰＣ３００と光ディスク記録再生装置１００でのデータ転送と、ホストＰＣ３００から光ディスク記録再生装置１００への電力供給とを、インタフェースケーブル２００によって同時に行うことが可能に構成されている。
【００５４】
１０１は光ディスク記録再生装置１００の各部の動作状態を制御する制御手段であり、この制御手段１０１は、後述するように、判別結果あるいは判定結果を参照して、各部を定格消費電力モードあるいは低消費電力モードにて動作させるよう制御する。
【００５５】
１０２はセルフパワー方式として外部のＡＣアダプタなどの電源手段からの電力供給を受ける外部電源端子である。なお、この電源供給端子から光ディスク記録再生装置１００内部の各部に必要な電力を供給する電力供給手段については周知のものであるため、省略してある。なお、外部電源端子１０２は、インタフェースケーブル２００を介した場合よりも大きな電力の供給を外部の電源手段から受けることが可能であることが望ましい。
【００５６】
１０３はバスパワー方式としてインタフェースケーブルを介して電力供給を受けることと、インタフェースケーブルを介してデータ転送することとが可能に構成されたインタフェース端子である。
【００５７】
１０４は電力供給が行われる系統（外部電源端子１０２側／インタフェース側）を判別する電力供給系統判別手段である。なお、この光ディスク記録再生装置１００ではＵＳＢの場合にはホストＰＣ３００からの電力供給は規格で定まっているため、外部電源端子１０２側からの電力供給があるか否かを判別するようにしてもよい。
【００５８】
１０５はＵＳＢインタフェースを介してホストＰＣからの電力供給を受ける場合における電力供給能力を判定する電力供給能力判定手段である。なお、この場合に、電力供給能力判定手段１０５は、他の機器に対して所定の電流を流すようなテストモードの動作を行い、このときに生じる電圧変化から電力供給能力判定を行うことが望ましい。
【００５９】
１０６はインタフェースにおけるデータ転送を高速に行うための高速インタフェース回路、１０７はインタフェースにおけるデータ転送を低速に行うための低速インタフェース回路である。これら高速インタフェース１０６および低速インタフェース１０７は、インタフェース端子１０３からの信号ラインを経由してデータ転送を行っている。なお、ＵＳＢを具体例とすると、高速インタフェース回路１０６はＵＳＢ２．０規格に合致したものであり、低速インタフェース回路１０６はＵＳＢ１．１規格に合致したものと言うことができる。
【００６０】
なお、高速インタフェース回路１０６はデータ転送を高速に行うものの、低速インタフェース回路１０７より消費電力が大きい特徴を有する。一方、低速インタフェース回路１０７はデータ転送を低速にしか行えないものの、高速インタフェース回路１０６より消費電力が小さい特徴を有する。
【００６１】
１１０は光ディスクに対してリード／ライトする際に必要な信号処理を行う信号処理回路、１１１はリード／ライトする際のデータを一定の量だけ記憶しておくキャッシュメモリである。
【００６２】
１２０は光ディスクに対して光を用いてリード／ライトするための光ピックアップ、１２１は光ピックアップ１２０を光ディスクの所定のトラックにアクセスさせるためのフォーカス制御やトラッキング制御を行うＰＵ制御回路、１２２は光ピックアップ１２０でリード／ライトするためのリード／ライト回路である。
【００６３】
１３０は光ピックアップ１２０を光ディスクの所望のトラックにトラックジャンプしてアクセスさせるためのシーク動作を行うためのリニアモータ、１３１はリニアモータ１３０を制御するリニアモータ制御回路である。
【００６４】
１４０は光ディスクを回転駆動するスピンドルモータ１４０、１４１はスピンドルモータ１４０を所定の回転数で回転させる制御を行うスピンドルモータ制御回路である。
【００６５】
なお、以上の構成において、この制御手段１０１は、電力供給系統判別手段１０４の判別結果を参照し、電力供給が外部電源端子１０２を介してなされている場合には各部を定格消費電力モードにて動作させ、電力供給がインタフェース端子１０３を介してなされている場合には各部を低消費電力モードにて動作させるよう制御する。
【００６６】
ここで、定格消費電力モードでは、光ディスク記録再生装置１００の各部の消費電力にかかわらず、持てる能力（高速インタフェース回路１０６のデータ転送能力、信号処理回路１１０の信号処理能力、光ピックアップ１２０のシーク速度（リニアモータ１３０の駆動速度）、光ディスクを回転させるスピンドルモータ１４０の回転速度、各部の動作クロック）を最大限に活かすように、制御手段１０１が各部を制御する。
【００６７】
また、低消費電力モードでは、光ディスク記録再生装置１００の各部の消費電力の上限値がバスパワー方式によって供給される電力の範囲内に収まるように、能力（高速インタフェース回路１０６あるいは低速インタフェース回路１０７のデータ転送能力、信号処理回路１１０の信号処理能力、光ピックアップ１２０のシーク速度（リニアモータ１３０の駆動速度）、光ディスクを回転させるスピンドルモータ１４０の回転速度、各部の動作クロック）を抑えるように、制御手段１０１が各部を制御する。
【００６８】
なお、低消費電力モードとして、消費電力の異なる複数のモードを設けておくことも望ましい。たとえば、標準・低消費電力モード（消費電力２．５Ｗ）、最低・低消費電力モード（消費電力１．８Ｗ）などである。このような複数のモードに合わせて、制御手段１０１は各部の動作状態の組み合わせを制御すればよい。
【００６９】
ここで、図２を参照して、本実施の形態例の動作説明を行う。
【００７０】
制御手段１０１は、まず、電力供給系統判別手段１０４の判別結果を参照する（図２Ｓ１）。ここで、電力供給系統判別手段１０４は、光ディスク記録再生装置１００に対して、インタフェース端子１０３から電力が供給されているか、外部電源端子１０２から電力が供給されているか、を判別する。なお、インタフェース端子１０３と外部電源端子１０２との両方から電力の供給がある場合には、光ディスク記録再生装置１００としては、外部電源端子１０２側から電力の供給を受ける。
【００７１】
電力供給系統判別手段１０４での判別結果により、光ディスク記録再生装置１００に対して外部電源端子１０２から電力が供給されていることが判別された場合（図２Ｓ１で「セルフパワー」）、制御手段１０１は、定格消費電力モードにて各部を動作させるように制御する（図２Ｓ２）。
【００７２】
定格消費電力モードでは、光ディスク記録再生装置１００の各部の持てる能力を最大限に活かすべく、制御手段１０１の制御によって、データ転送としては高速インタフェース回路１０６を選択し、各部の動作クロックを高めて信号処理回路１１０の信号処理能力を高め、リニアモータ１３０の駆動速度を高速にして光ピックアップ１２０のシーク速度を向上させ、また、スピンドルモータ１４０の回転速度を高速にして光ディスクを高速回転させてリード／ライトを高速に行えるようにする。
【００７３】
この場合、以上のような性能重視の動作によって消費電力は増大するが、外部電源端子１０２経由でＡＣアダプタなどによって電力が供給されているため、電力の供給に関する問題は発生しない。なお、外部電源端子１０２については、インタフェース端子１０３経由より大きな電力供給が可能であるようなＡＣアダプタが接続されることが望ましい。
【００７４】
一方、電力供給系統判別手段１０４での判別結果により、光ディスク記録再生装置１００に対してインタフェース端子１０３経由でホストＰＣ３００から電力が供給されていることが判別された場合（図２Ｓ１で「バスパワー」）、制御手段１０１は、低消費電力モードにて各部を動作させるように制御する。
【００７５】
なお、本実施の形態例では、この低消費電力モードとして、標準的な低消費電力モード（以下、単に低消費電力モード）と、更に低消費電力に配慮された最低消費電力モードとの２つのモードが存在する場合について説明を行う。
【００７６】
ここで、電力供給能力判定手段１０５はＵＳＢインタフェースを介してホストＰＣ３００からの電力供給を受ける場合における電力供給能力を判定する（図２Ｓ３）。
【００７７】
この場合に、光ディスク記録再生装置１００はテストモードとして電力消費が激しく変動するような動作を行い、電源のリップルや電圧低下から電力供給能力判定手段１０５が電源の供給能力判定を行う。例えばヘッドのシーク動作中はリニアモーターに大電流が流れるので、シーク動作を数回繰り返してその間の電源リップルを測定し、所定の値以下であるかどうかをみて判別してもよい。また、データの書き込み時には光ピックアップのレーザーにパルス状の大電流が流れるので、ディスクのテストエリアにデータを書き込んでみてその際の電源電圧の変動やリップルを測定してもよい。
【００７８】
ここで、電力供給能力判定手段１０５での判定結果により、電力供給能力が通常であると判定された場合（図２Ｓ３で「通常」）、制御手段１０１は、標準的な低消費電力モードにて各部を動作させるように制御する（図２Ｓ４）。一方、電力供給能力判定手段１０５での判定結果により、電力供給能力が通常未満であると判定された場合（図２Ｓ３で「通常未満」）、制御手段１０１は、最低消費電力モードにて各部を動作させるように制御する（図２Ｓ５）。
【００７９】
低費電力モードでは、バスパワー方式の電力供給の範囲内で光ディスク記録再生装置１００の各部の持てる能力を最大限に活かすべく、制御手段１０１の制御によって、データ転送としては高速インタフェース回路１０６を選択し、ホストＰＣ３００とのデータ転送は高速のまま行うものの、各部の動作クロックを低くして信号処理回路１１０の信号処理能力を抑え、リニアモータ１３０の駆動速度を低速にして光ピックアップ１２０のシーク速度を抑え、また、スピンドルモータ１４０の回転速度を低速にして光ディスクを低速回転させてリード／ライトを低速に行えるようにする。
【００８０】
この場合、以上のように各部の性能を比較的抑える傾向の動作によって消費電力は減少し、インタフェース端子１０３経由の電力供給の範囲内の動作を実現でき、バスパワー方式の電力供給の範囲内で最大限の性能の動作を実現する。
【００８１】
一方、最低費電力モードでは、バスパワー方式の電力供給の範囲内で、かつ、ホストＰＣ３００のバッテリに負担を掛けない範囲内で、光ディスク記録再生装置１００の各部を動作させるべく、制御手段１０１の制御によって、データ転送としても低速インタフェース回路１０７を選択して、ホストＰＣ３００とのデータ転送も低速で行うと共に、各部の動作クロックを低くして信号処理回路１１０の信号処理能力を抑え、リニアモータ１３０の駆動速度を低速にして光ピックアップ１２０のシーク速度を抑え、また、スピンドルモータ１４０の回転速度を低速にして光ディスクを低速回転させてリード／ライトを低速に行えるようにする。
【００８２】
この場合、以上のように各部の性能を全般に抑える傾向の動作によって消費電力は更に減少し、インタフェース端子１０３経由の電力供給の範囲内であってホストＰＣ３００の電源供給部分に負担を極力かけない動作を実現でき、バスパワー方式の電力供給の範囲内であって最低限の性能の動作を実現する。このような動作とすることで、ホストＰＣ３００のバッテリが弱っていたとしても、できるだけ負担をかけない動作とすることができる。
【００８３】
なお、通常の低費電力モードと最低消費電力モードとの２種類だけではなく、１種類の低消費電力モードとしたり、３種類以上の低消費電力モードを設けるようにしてもよい。
【００８４】
また、低消費電力モードにおいて、データ転送（高速インタフェース回路１０６／低速インタフェース回路１０７の選択）、各部の動作クロックの周波数変更、リニアモータ１３０の駆動速度（光ピックアップ１２０のシーク速度）、スピンドルモータ１４０の回転速度（光ディスクの回転速度）、のそれぞれについては、それぞれの選択によって低減される消費電力と低下するパフォーマンスとの兼ね合いにより、選択の組み合わせを決定すればよい。
【００８５】
なお、以上の制御において、シーク速度を切り替えるために、ＰＵ制御回路１２１から光ピックアップ１２０に与える電圧を変更してもよいし、また、制御手段１０１による速度制御のための速度プロファイルを変更してもよい。
【００８６】
また、以上の制御において、転送速度を切り替えるために、データ転送回路（インタフェース回路）を複数備えて切り替える代わりに、単一のデータ転送回路（インタフェース回路）に対して速度切り替えコマンドを与えて制御してもよい。
【００８７】
以上のように選択の組み合わせを行うことにより、他の機器から電力供給を受けるバスパワー方式と外部電源を使用するセルフパワー方式との２種類の電力供給方式が存在する光ディスク記録再生装置において、いずれの方式で動作している場合にも、それぞれの範囲内で最大限の性能を活かすことが可能になる。
【００８８】
また、以上の結果、他の機器から電力供給を受けるバスパワー方式の電力供給方式が存在する光ディスク記録再生装置において、供給を受けている他の機器の能力の範囲内で最大限の性能を活かすことが可能になる。
【００８９】
また、以上の電力供給系統判別や電力供給能力判定は、定期的に行っておくことで、電源供給が外部電源からインタフェース経由に切り替わったり、インタフェース経由から外部電源に切り替わった場合に、即座に対応することが可能になり、その時点での最大の能力を発揮することが可能になる。
【００９０】
図３は本発明の他の実施の形態例の動作状態を示す説明図である。図１に示した光ディスク記録再生装置１００では、光ディスクに対して書き込むデータを所定量記憶するキャッシュメモリ１１１を備えたことを特徴としている。そして、このような構成において、制御手段１０１は、低消費電力モードにおいては、書き込むべきデータをキャッシュメモリ１１１に蓄積しておく。
【００９１】
そして、光ピックアップ１２０のシーク動作距離が最小となるような順序を制御手段１０１が計算により求め、このような順序で、キャッシュメモリ１１１から読み出したデータを光ディスクに書き込むように制御手段１０１が書き込みシーケンス制御を行うことを特徴としている。
【００９２】
ここで、たとえば、ある程度のデータの書き込みを既に行っていて、フラグメンテーションが発生している光ディスクを想定すると、後からデータを書き込む場合には、分散した空き領域となることが多い。
【００９３】
Ａ，Ｂ，Ｃ３つのデータをディスクに書き込む場合で説明する。図３（ａ）の場合、最初にデータＡについて内周側に書き込みを行い（▲１▼）、次に、外周側に近くて連続した空き領域が存在していた領域にデータＢの書き込みを行い（▲２▼）、その後に、▲２▼より内側の領域であるが、分散した領域にデータＣの書き込みを行う（▲３▼、▲４▼、▲５▼）。ここで、▲１▼〜▲５▼はデータを書き込む順番を示している。この場合には、内周側の▲１▼から外周側の▲２▼に光ピックアップが移動し、再び内周側の▲３▼〜▲５▼に光ピックアップを戻すような制御になっているため、光ピックアップが無駄なシーク動作を行っており、移動距離も大きい。このため、シーク動作にかかる時間に応じて各部の消費電力がかかることになる。
【００９４】
そこで、書き込むべきデータＡ〜Ｃをキャッシュメモリ１１１にを蓄積しておいて、図３（ｂ）のように、最初にデータＡについて内周側に書き込みを行い（▲１▼）、次に、内周と外周の中間の領域であるが分散した領域にデータＣの書き込みを行い（▲２▼、▲３▼、▲４▼）、最後に、外周側に近くて連続した空き領域が存在していた領域にデータＢの書き込みを行う（▲５▼）。この場合には、内周側の▲１▼から徐々に外周側の▲５▼に向かって光ピックアップを移動させているので、光ピックアップに無駄なシーク動作が発生せず、移動距離も最短になる。このため、動作時間が短くなるため、消費電力を低減することができる。
【００９５】
なお、この図３（ｂ）に示すように、書き込みの順番は変更しているものの、書き込むデータとその位置とは変更されていないため、ＦＡＴあるいはＴＯＣを変更する必要はない。
【００９６】
すなわち、このようにシーク動作距離が最小となるような順序の書き込みを行うことで、一定量のデータを光ディスクに書き込むために必要な消費電力を最低限に抑えることが可能になる。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【００９７】
なお、キャッシュメモリ１１１にデータが溜まるまでの時間は一定ではないので、所定時間（数秒〜数十秒）経過した場合には、キャッシュメモリ１１１内のデータが少なくても書き込みを実行することも望ましい。また、ユーザの選択によって、このような順序変更書き込みを実行するか否かを設定できるようにしてもよい。
【００９８】
また、他の機器との間でデータ転送と電力供給授受とが可能に構成されたインタフェースとして、ＵＳＢを具体例にしたが、ＩＥＥＥ１９４３などの他のインタフェースに適用することも可能である。
【００９９】
【発明の効果】
以上、実施の形態例により詳細に説明したように、本発明では、以下に述べるような効果が得られる。
【０１００】
（１）請求項１記載の発明では、他の機器との間でデータ転送と電力供給授受とが可能に構成された場合に、制御手段は、電力供給系統判別手段の判別結果を参照し、電力供給が外部電源端子を介してなされている場合には各部を定格消費電力モードにて動作させ、電力供給がインタフェースを介してなされている場合には各部を低消費電力モードにて動作させるよう制御する。この結果、他の機器から電力供給を受けるバスパワー方式と外部電源を使用するセルフパワー方式との２種類の電力供給方式が存在する光ディスク記録再生装置において、いずれの方式で動作している場合にも、それぞれの範囲内で最大限の性能を活かすことが可能になる。
【０１０１】
（２）請求項２記載の発明では、他の機器との間でデータ転送と電力供給授受とが可能に構成された場合に、制御手段は、電力供給能力判定手段の判定結果を参照し、電力供給能力が既定値よりも低下したと判定された場合には、該判定結果に応じた所定の低消費電力モードにて各部を動作させるよう制御する。この結果、他の機器から電力供給を受けるバスパワー方式の電力供給方式が存在する光ディスク記録再生装置において、供給を受けている他の機器の能力の範囲内で最大限の性能を活かすことが可能になる。
【０１０２】
（３）請求項３記載の発明では、他の機器との間でデータ転送と電力供給授受とが可能に構成された場合に、制御手段は、電力供給系統判別手段の判別結果を参照し、電力供給が外部電源端子を介してなされている場合には各部を定格消費電力モードにて動作させ、電力供給がインタフェースを介してなされている場合には各部を低消費電力モードにて動作させるよう制御する。この結果、他の機器から電力供給を受けるバスパワー方式と外部電源を使用するセルフパワー方式との２種類の電力供給方式が存在する光ディスク記録再生装置において、いずれの方式で動作している場合にも、それぞれの範囲内で最大限の性能を活かすことが可能になる。また、制御手段は、電力供給能力判定手段の判定結果を参照し、電力供給能力が既定値よりも低下したと判定された場合には、該判定結果に応じた所定の低消費電力モードにて各部を動作させるよう制御する。この結果、他の機器から電力供給を受けるバスパワー方式の電力供給方式が存在する光ディスク記録再生装置において、供給を受けている他の機器の能力の範囲内で最大限の性能を活かすことが可能になる。
【０１０３】
（４）請求項４記載の発明では、上記（１）〜（３）において、制御手段は、定格消費電力モードと低消費電力モードとで、インタフェースを介したデータ転送における転送速度を切り替えるように制御している。この場合、定格消費電力モードでは転送速度を高速に切り替え、低消費電力モードでは転送速度を高速に切り替えるようにする。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【０１０４】
（５）請求項５記載の発明では、上記（１）〜（４）において、制御手段は、定格消費電力モードと低消費電力モードとで、あるいは複数の低消費電力モードで、各部に供給する動作クロックの周波数を切り替えるように制御している。この場合、定格消費電力モードでは高いクロック周波数に切り替え、より低消費となる低消費電力モードになるに従ってより低いクロック周波数に切り替えるようにする。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【０１０５】
（６）請求項６記載の発明では、上記（１）〜（５）において、制御手段は、定格消費電力モードと低消費電力モードとで、あるいは複数の低消費電力モードで、光ディスクを回転駆動するスピンドルモータの回転速度を切り替えるように制御している。この場合、定格消費電力モードでは高い回転数に切り替え、より低消費となる低消費電力モードになるに従ってより低い回転数に切り替えるようにする。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【０１０６】
（７）請求項７記載の発明では、上記（１）〜（６）において、制御手段は、定格消費電力モードと低消費電力モードとで、あるいは複数の低消費電力モードで、光ピックアップのシーク動作におけるシーク速度を切り替えるように制御している。この場合、定格消費電力モードでは高いシーク速度に切り替え、より低消費となる低消費電力モードになるに従ってより低いシーク速度に切り替えるようにする。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【０１０７】
（８）請求項８記載の発明では、上記（１）〜（７）において、光ディスクに対して書き込むデータを所定量記憶するキャッシュメモリを備えた場合に、制御手段は、低消費電力モードにおいては、書き込むべきデータをキャッシュメモリに蓄積しておき、光ピックアップのシーク動作距離が最小となるような順序で、キャッシュメモリから読み出したデータを光ディスクに書き込むように書き込みシーケンス制御を行う。このようにシーク動作距離が最小となるような順序の書き込みを行うことで、一定量のデータを光ディスクに書き込むために必要な消費電力を最低限に抑えることが可能になる。この結果、他の機器から電力供給を受けるバスパワー方式と外部電源を使用するセルフパワー方式とのいずれの電力供給方式で動作しているにも、それぞれの範囲内で最大限の性能を活かすことが可能になる。
【図面の簡単な説明】
【図１】本発明の実施の形態例の光ディスク記録再生装置の電気的な構成を示す機能ブロック図である。
【図２】本発明の実施の形態例における動作状態を示すフローチャートである。
【図３】本発明の実施の形態例の動作を説明するための説明図である。
【図４】バスパワー方式の接続を説明するための説明図である。
【図５】セルフパワー方式の接続を説明するための説明図である。
【符号の説明】
１００  光ディスク記録再生装置
１０１  制御手段
１０２  外部電源端子
１０３  インタフェース端子
１０４  電力供給系統判別手段
１０５  電力供給能力判定手段
１０６  高速インタフェース回路
１０７  低速インタフェース回路
１１０  信号処理回路
１１１  キャッシュメモリ
１２０  光ピックアップ
１２１  ＰＵ制御回路
１２２  リード／ライト回路
１３０  リニアモータ
１３１  リニアモータ制御回路
１４０  スピンドルモータ
１４１  スピンドルモータ制御回路
【図１】
2004152342.tif 000003
【図２】
2004152342.tif 000004
【図３】
2004152342.tif 000005
【図４】
2004152342.tif 000006
【図５】
2004152342.tif 000007